(57)【要約】【課題】  キャリッジの動作を視認することができるスキャナー装置を提供すること。【解決手段】  スキャナー装置７０は、読み取り対象物（Ｐ）に対して光を発する発光部７６と、読み取り対象物（Ｐ）で反射した光を読み取る読み取り部７５と、を有し、所定の方向（Ｙ）へ移動するキャリッジ７４と、前記キャリッジ７４を覆う外装部７１と、該外装部７１における前記発光部７６の端部と対応する箇所において前記キャリッジ７４の移動方向Ｙに延設された光放出部（７２）と、前記キャリッジ７４に設けられ、前記発光部７６の光を前記光放出部（７２）へ導く導光部材７７と、を備えていることを特徴とする。【選択図】図４
2010251879.tif 000002
【特許請求の範囲】
【請求項１】
読み取り対象物に対して光を発する発光部と、読み取り対象物で反射した光を読み取る読み取り部と、を有し、所定の方向へ移動するキャリッジと、
前記キャリッジを覆う外装部と、
該外装部における前記発光部の端部と対応する箇所において前記キャリッジの移動方向に延設された光放出部と、
前記キャリッジに設けられ、前記発光部の光を前記光放出部へ導く導光部材と、を備えるスキャナー装置。
【請求項２】
請求項１に記載のスキャナー装置において、前記光放出部は、所定の波長の光を遮るフィルター部材を有するスキャナー装置。
【請求項３】
請求項１または２に記載のスキャナー装置において、前記発光部は、赤色、緑色および青色の光源を有しており、
前記読み取り部が読み取り対象物の面に記録されたデータを読み取る動作中は、前記発光部は、赤色、緑色および青色の光源により白色を発光し、
前記読み取り部が読み取り対象物の面に記録されたデータを読み取る動作以外の動作の際は、前記発光部は、赤色、緑色および青色の光源の光量を変化させ色相、彩度および明度の少なくとも一を変化させるスキャナー装置。
【発明の詳細な説明】
【技術分野】
【０００１】
本発明は、読み取り対象物に対して光を発する発光部と、読み取り対象物で反射した光を読み取る読み取り部と、を有し、所定の方向へ移動するキャリッジと、前記キャリッジを覆う外装部と、を備えるスキャナー装置に関する。
【背景技術】
【０００２】
従来では、特許文献１に示す如く、スキャナー装置は、キャリッジとしてのスキャンユニットと、外装部としての筐体とを備えていた。このうち、前記スキャンユニットは、発光部としての線状光源と、読み取り部としての撮像装置とを有していた。また、前記筐体は、前記スキャンユニットを覆うように構成されていた。そして、前記スキャンユニットは、前記筐体の内部において、原稿台にセットされた読み取り対象物としての用紙と対向する範囲を移動してスキャニングを実行するように構成されていた。
【０００３】
具体的には、前記移動しながら前記線状光源を発光させ、前記撮像装置によって用紙によって反射された光を読み取ることによってスキャニングを実行するように構成されていた。  
また、前記筐体には、現在のモードを表示する運転状態表示部が設けられていた。具体的には、電源がＯＮ状態か否か、スキャナーモード、プリンターモードのいずれかのモードかを、前記線状光源を利用して表示することができるように構成されていた。従って、新たに光源を設けることなく表示することができた。また、ユーザーは、現在選択されているモードを視認することができた。
【発明の概要】
【発明が解決しようとする課題】
【０００４】
しかしながら、スキャナーモードが選択されている場合において、前記スキャンユニットが実際に動作しているか否かを視認することができなかった。
【０００５】
本発明は、このような状況に鑑み成されたものであり、その課題は、キャリッジの動作を視認することができるスキャナー装置を提供することである。
【課題を解決するための手段】
【０００６】
上記課題を達成するため、本発明の第１の態様のスキャナー装置は、読み取り対象物に対して光を発する発光部と、読み取り対象物で反射した光を読み取る読み取り部と、を有し、所定の方向へ移動するキャリッジと、前記キャリッジを覆う外装部と、該外装部における前記発光部の端部と対応する箇所において前記キャリッジの移動方向に延設された光放出部と、前記キャリッジに設けられ、前記発光部の光を前記光放出部へ導く導光部材と、を備えていることを特徴とする。
【０００７】
本発明の第１の態様によれば、前記光放出部および前記導光部材を備えているので、スキャニング動作をしているとき、前記導光部材を介して前記光放出部において光を外部に放つことができる。従って、ユーザーは、スキャニング動作を視認することができる。  
さらに、前記キャリッジが前記移動方向へ移動すると、前記導光部材も移動する。従って、前記光放出部において放出される光も、前記キャリッジの移動と共に移動する。その結果、ユーザーは、前記キャリッジの移動状態を容易に知ることができる。具体的には、前記キャリッジが移動しているのか否かを容易に知ることができる。
【０００８】
即ち、前記キャリッジを移動させてスキャニング動作を実行する場合は、光が移動するので、動作を視認することができる。また、前記キャリッジを移動させずに例えば、自動給送装置によって給送された読み取り対象を読み取る場合も、光を視認することにより動作を視認することができる。  
また、放出される光が移動するので、スキャナー装置の外観を美しくみせることができる。そして、低コストでスキャナー装置の商品としての価値を向上させることができる。
【０００９】
本発明の第２の態様は、第１の態様において、前記光放出部は、所定の波長の光を遮るフィルター部材を有することを特徴とする。  
本発明の第２の態様によれば、第１の態様と同様の作用効果に加え、前記光放出部は前記フィルター部材を有しているので、前記外装部の外側から内側へ入る光の量を低減することができる。
【００１０】
その結果、前記読み取り部が媒体の面に記録されたデータを読み取る際、前記光放出部を介して内側へ入る光が、前記データの読み取りに与える影響を低減することができる。  
一方、前記発光部において発光する光の波長のうち、所定の波長の光だけを前記フィルター部材を介して前記外装部の内側から外側へ放出させることができる。このとき、白色以外の色の光を放出させることができる。
【００１１】
本発明の第３の態様は、第１または第２の態様において、前記発光部は、赤色、緑色および青色の光源を有しており、前記読み取り部が読み取り対象物の面に記録されたデータを読み取る動作中は、前記発光部は、赤色、緑色および青色の光源により白色を発光し、前記読み取り部が読み取り対象物の面に記録されたデータを読み取る動作以外の動作の際は、前記発光部は、赤色、緑色および青色の光源の光量を変化させ色相、彩度および明度の少なくとも一を変化させることを特徴とする。
【００１２】
本発明の第３の態様によれば、第１または第２の態様と同様の作用効果に加え、前記読み取り部が読み取り対象物の面に記録されたデータを読み取る動作中は、前記発光部は白色を発光するので、精度よく前記データを読み取ることができる。  
また、前記読み取り部が読み取り対象物の面に記録されたデータを読み取る動作以外の動作の際は、前記発光部は色相、彩度および明度を変化させることにより、前記光放出部を介して変化させた光を前記外装部の外側へ放出することができる。その結果、視覚的効果を向上させることができる。
【００１３】
この際、前記キャリッジを移動させながら発光する色を変化させるようにしてもよい。  
また、動作別に色を変えて読み取り動作以外の動作状態において、どのような動作をしているのかを、光の色によってユーザーに知らせることも可能である。さらに、エラーが発生したとき所定のエラーの色を発光させ、ユーザーに知らせることも可能である。係る場合、前記キャリッジが前記移動方向における移動範囲のいずれの位置に位置するかに関わらず、前記発光部が発光してユーザーに知らせることができる。  
【図面の簡単な説明】
【００１４】
【図１】本発明に係るプリンター複合機の全体を示す斜視図（給送装置閉状態）。
【図２】本発明に係るプリンター複合機の全体を示す斜視図（給送装置開状態）。
【図３】本発明に係るプリンター複合機の給送装置の使用状態を示す斜視図。
【図４】本発明に係るスキャナー装置を示す斜視図。
【図５】本発明に係るスキャナー装置の光の経路を示す概略平面図。
【図６】他の実施形態のスキャナー装置を示す斜視図。
【発明を実施するための形態】
【００１５】
以下、本発明の実施の形態を図面に基づいて説明する。  
図１に示すのは、画像処理装置としてのプリンター複合機の給送装置を閉じた状態のときの外観を示す斜視図である。また、図２に示すのは、プリンター複合機の給送装置をプリンター本体部に対して上方へ開いた状態のときの外観を示す斜視図である。またさらに、図３に示すのは、プリンター複合機の給送装置を使用しているときの外観を示す斜視図である。  
最初に、本願発明の画像処理装置を実施するための最良の形態としてインクジェットプリンターの上部にスキャナー装置を搭載したプリンター複合機について、その全体構成の概略を簡単に説明する。
【００１６】
図１〜図３に示す如く、プリンター複合機１は、プリンター本体部１０と、給送装置２０とを有している。  
このうち、プリンター本体部１０は、プリンター複合機１の鉛直方向下方（Ｚ軸の矢印と反対方向）に配設されている。また、プリンター本体部１０は、スキャナー装置７０と、給送部１２と、記録部１３と、排出部１４とを備えている。
【００１７】
スキャナー装置７０は、プリンター本体部１０における給送装置側である上方（Ｚ軸の矢印の方向）に配設されている。そして、スキャナー装置７０は、詳しくは後述する給送装置２０によって、給送された読み取り対象物としての用紙Ｐの面に記録された写真や文書等の情報を読み取ることができるように構成されている。また、給送部１２は、プリンター本体部１０の内部に積層された用紙Ｐを給送することができるように構成されている。またさらに、記録部１３は、給送部１２によって給送された用紙Ｐに対してインクを吐出することにより記録実行をすることができるように構成されている。また、排出部１４は、記録部１３において記録された用紙Ｐをプリンター本体部１０の内部から外部へ排出することができるように構成されている。
【００１８】
また、図２に示す如く、給送装置２０は、ヒンジ部８０によってプリンター本体部１０に対して揺動可能に接続されている。そして、給送装置全体を上方へ揺動させて、プリンター本体部１０のスキャナー装置７０のガラス板で形成された第１読み取り面７８に、用紙Ｐの読み取らせたい面を向けて、直接、用紙Ｐをセットすることができる。係る場合、上方へ揺動させた給送装置全体を下方へ揺動させて図１に示す状態にする。
【００１９】
そして、給送装置２０に設けられた押さえ部６１によって用紙Ｐをスキャナー装置７０に押し当てて、用紙Ｐの面の情報をスキャナー装置７０に読み取らせることができる。  
またさらに、詳しくは後述するが、スキャナー装置７０の外装部７１には、スキャナー装置７０のキャリッジ７４が移動する方向Ｙに延びたスリット部７２が設けられている。そして、スリット部７２を介して導光部材７７が、スキャナー装置７０の内部から外部へ僅かに突出している。
【００２０】
一方、給送装置２０は、プリンター本体部１０の上方に配設されている。そして、プリンター本体部側のスキャナー装置７０のガラス板で形成された第２読み取り面７９と対向する位置に対して用紙Ｐを給送することができるように設けられている。具体的には、送りローラー６０（図２参照）によって矢印Ｑ（図３参照）が示す方向へ用紙Ｐが送られるように設けられている。そして、スキャナー装置７０によって用紙Ｐの面に記録された情報が読み取られる。その後、給送装置２０は、用紙Ｐを排出トレイ部５０（図３参照）まで送ることができるように設けられている。
【００２１】
即ち、ユーザーは、スキャナー装置７０を使用する際、給送装置２０を上方へ揺動させて給送装置２０が開いた状態にして、直接用紙Ｐを第１読み取り面７８にセットして再び給送装置２０を閉じてから使用することができる。また、給送装置２０のカバー部４０を開くことによって、給送装置２０に用紙Ｐをセットしてスキャナー装置７０を使用することもできるように構成されている。
【００２２】
給送装置２０について簡単に説明する。  
給送装置２０は、基体部２１と、カバー部４０と、用紙サポート部３０と、排出トレイ部５０とを有している。カバー部４０は、用紙サポート部３０を覆うことが可能に設けられている。また、用紙サポート部３０は、用紙Ｐの給送トレイの役割を果たすことができるように設けられている。またさらに、排出トレイ部５０は、スキャナー装置７０によって読み取られた用紙Ｐを載置することができるように設けられている。
【００２３】
図１に示すカバー閉状態では、基体部２１の上面、カバー部４０および排出トレイ部５０は、緩やかな曲面上に所謂、面一となるように構成されている。従って、美しい外観を構成することができる。このときの排出トレイ部５０の位置が、排出トレイ部５０の「不使用時位置（Ｅ１）」である。  
ここで、排出トレイ部５０の「不使用時位置（Ｅ１）」とは、排出トレイ部５０として機能しない位置をいう。具体的には、給送装置２０を使用しないときにとる位置であって、カバー閉状態にとる前記曲面を面一に形成する位置である。
【００２４】
カバー閉状態では、後述する給送開口部３３（図３参照）は閉じた状態である。また、排出開口部５３（図３参照）も閉じた状態である。  
ここで、給送開口部３３とは、後述する案内フレーム部２２および用紙サポート部３０によって用紙Ｐがセットされる開口部をいう。一方、排出開口部５３とは、用紙Ｐが後述する排出トレイ部５０へ排出される開口部をいう。  
また、カバー部４０のカバー軸部４１（図１および図３参照）を基準とした一端側４２には、切欠き部４３が設けられている（図１参照）。従って、ユーザーは、切欠き部４３に指を引っかけてカバー部４０を図１に示すカバー閉状態から図３に示すカバー開状態に揺動させることができる。
【００２５】
カバー開状態にすると、カバー部４０に覆われていた用紙サポート部３０および給送開口部３３が現れると共に、用紙サポート部３０は上方へ変位する。この位置が用紙サポート部３０の「使用時ポジション（Ｄ２）」である。  
ここで、用紙サポート部３０の「使用時ポジション（Ｄ２）」とは、給送装置２０を使用するときにおける用紙サポート部３０がとるポジションをいう。カバー開状態のポジションである。
【００２６】
用紙サポート部３０の変位については、カバー部４０の一端側４２と反対側である他端側４４に設けられた第１動力伝達手段および第２動力伝達手段を兼ねる突片４５の作用によって行われる。具体的には、突片４５が、用紙サポート部３０を押し上げてサポート揺動軸３１を支点に揺動させて「使用時ポジション（Ｄ２）」へ変位させるように構成されている。  
ここで、第１動力伝達手段とは、カバー部４０が開閉する際の動力を用紙サポート部３０へ伝達して用紙サポート部３０を変位させる手段をいう。また、第２動力伝達手段とは、カバー部４０が開閉する際の動力を排出トレイ部５０へ伝達して排出トレイ部５０を変位させる手段をいう。
【００２７】
また、用紙サポート部３０には、用紙Ｐの幅方向Ｘへ移動可能なエッジガイド部３２、３２が設けられている。そして、用紙サポート部３０の「使用時ポジション（Ｄ２）」では、エッジガイド部３２、３２の少なくとも一部が基体部２１から上方へ突出するように構成されている。従って、ユーザーは、用紙Ｐを用紙サポート部上にセットした際、容易にエッジガイド部３２、３２を操作して用紙Ｐの位置および姿勢を安定させることができる。  
尚、基体部２１には、案内フレーム部２２が設けられており、用紙Ｐは、案内フレーム部２２から用紙サポート部３０の範囲に亘ってセットされるように構成されている。さらに、用紙Ｐの後端側がカバー部４０の内側面にも支持されるように構成してもよい。
【００２８】
またさらに、カバー開状態にすることにより、排出トレイ部５０は、「使用時位置（Ｅ２）」へ変位するように構成されている。具体的には、排出トレイ部５０は、揺動可能に設けられており、突片４５に支持されていた排出トレイ部５０の自由端側５２が突片４５の回動に伴い下方へ下がることによって、「使用時位置（Ｅ２）」へ変位する。これに伴い、排出開口部５３が開くように構成されている。
【００２９】
ここで、排出トレイ部５０の「使用時位置（Ｅ２）」とは、排出された用紙Ｐを受け止め載置することができる位置をいう。  
尚、カバー部４０を図１に示す如く閉じることによって、突片４５に支持されていた用紙サポート部３０は下方へ下がり「収納時ポジション（図示せず）」へ変位する。また、突片４５が排出トレイ部５０の自由端側５２を掬い上げるように作用して、排出トレイ部５０を「不使用時位置（Ｅ１）」へ変位させる。
【００３０】
続いて、スキャナー装置７０について説明する。  
図４に示すのは、本発明に係るスキャナー装置を示す斜視図である。また、図５に示すのは、本発明に係るスキャナー装置の概略を示す平面図である。  
図４および図５に示す如く、スキャナー装置７０は、外装部７１と、キャリッジ７４と、ガイド軸７３と、スリット部７２と、導光部材７７とを備えている。
【００３１】
このうち、外装部７１は、キャリッジ７４やガイド軸７３を内部に収納することができるように設けられている。また、キャリッジ７４は、ＣＩＳ（Contact Image Sensor）モジュールとしての役割を果たすように設けられている。  
ここで、「ＣＩＳ（Contact Image Sensor）モジュール」とは、センサーＩＣを読み取り対象物の幅と同じ長さに配置した基板とＬＥＤ（発光ダイオード）などの光源を利用して、高速でライン読取を行うことのできるモジュール部品をいう。
【００３２】
具体的には、キャリッジ７４は、発光部７６と、読み取り部７５とを有している。このうち、発光部７６は、赤、緑および青色の光源を有し加法混色により自在に色を変えて発光することができるように構成されている。例えば、赤色ＬＥＤ、緑色ＬＥＤおよび青色ＬＥＤを用いることができる。  
また、読み取り部７５は、レンズ等を備え、用紙等の読み取り対象物の表面において反射された発光部７６からの光を検知して読み取り対象物の表面の情報を読み取ることができるように構成されている。
【００３３】
そして、キャリッジ７４は、ベルト駆動等の図示しない駆動手段によって、Ｙ軸方向へ移動することができるように構成されている。  
また、ガイド軸７３は、Ｙ軸方向に延設されており、キャリッジ７４をＹ軸方向へ案内することができるように構成されている。  
またさらに、スリット部７２は、キャリッジ７４の移動範囲において、外装部７１におけるＹ軸方向へ延設されている。
【００３４】
また、導光部材７７は、発光部７６の光を導くことができるように設けられている。具体的には、透明な素材で形成されている。また、導光部材７７は、一端側が発光部７６の光を受けることができるように設けられている。そして、他端側がスリット部７２から外側に僅かに突出することにより、外装部７１の外側へ発光部７６からの光Ｌを放出することができるように構成されている。さらに、導光部材７７は、キャリッジ７４と一体に移動することができるように設けられている。
【００３５】
スキャナー装置７０が用紙Ｐの表面に記録された情報を読み取るスキャニング動作を実行しているとき、発光部７６は、赤色ＬＥＤ、緑色ＬＥＤおよび青色ＬＥＤがそれぞれ発光して加法混色により白色の光を発光するように構成されている。これにより、読み取り部７５は、読み取り対象の表面において反射する光の波長を精度よく検出することができる。その結果、読み取り対象の表面の情報を精度よく読み取ることができる。
【００３６】
前述したように給送装置２０を上方へ開いて第１読み取り面７８に用紙Ｐをセットした場合、キャリッジ７４は、Ｙ軸方向へ移動し、第１読み取り面７８にセットされた用紙Ｐの範囲の情報を読み取るように構成されている。  
このとき、スリット部７２を介して導光部材７７は、発光部７６からの光Ｌを外装部７１の外側へ放つことができる。そして、導光部材７７は、キャリッジ７４の移動と共にＹ軸方向へ移動するように構成されている。
【００３７】
従って、ユーザーは、Ｙ軸方向へ移動する導光部材７７が放っている光Ｌを見て、キャリッジ７４が移動してスキャニング動作を実行していることを視認することができる。また、導光部材自体が発光して移動しているように見えるため、視覚的に美しくすることができる。その結果、低コストでスキャナー装置７０の商品としての価値を向上させることができる。
【００３８】
また、前述したように給送装置２０のカバー部４０を開いて用紙サポート部３０に用紙Ｐをセットした場合、キャリッジ７４は、Ｙ軸方向において、第２読み取り面７９の範囲に停止したままの状態である。そして、停止したままの状態で、第２読み取り面７９に送られてくる用紙Ｐの表面に記録された情報を読み取るように構成されている。  
このときも同様に、スリット部７２を介して導光部材７７は、発光部７６からの光Ｌを外装部７１の外側へ放つことができる。従って、ユーザーは、スキャナー装置７０がスキャニング動作を実行していることを視認することができる。即ち、キャリッジ７４が移動しない場合であっても、スキャニング動作が実行されていることをユーザーは視認することができる。
【００３９】
一方、スキャニング動作を実行していない場合、例えば、プリンター本体部１０の記録部１３において記録実行中のとき、プリンター本体部１０の初期動作のとき、スキャナー装置７０の初期動作のとき、その他スキャニング動作を実行していないときは、発光部７６は、発光する色を変化させることができるように構成されている。具体的には、赤色ＬＥＤ、緑色ＬＥＤおよび青色ＬＥＤのそれぞれの組み合わせおよび光量を調整することにより、色相、彩度および明度を変えることができるように構成されている。従って、導光部材７７は、変化した発光部７６からの光Ｌを外装部７１より外側に放つことができ、外観をより美しいみせることができる。  
尚、「スキャナー装置の初期動作」とは、キャリッジ７４が移動するが、実際に読み取りをしているわけではなく、キャリッジ７４に位置を確認する等のための動作をいう。
【００４０】
また、スキャニング動作を実行していない場合において、それぞれの動作毎に、発光部７６が発光する色を変えてもよい。係る場合、ユーザーは、プリンター複合機１が現在どの動作をしているかを視認すると共に、光Ｌの変化を目で楽しむことができる。このとき、キャリッジ７４および導光部材７７をＹ軸方向へ移動させ、光Ｌを移動させることも可能である。
【００４１】
またさらに、エラーが発生した場合、発光部７６が赤く発光するように構成することにより、導光部材７７を介して赤い光Ｌを外部に発することができる。そして、ユーザーに警告としてエラーが発生した旨を知らせることができる。係る場合、警告ランプを専用に設ける必要がない。その分、コストダウンすることができる。  
また、常時点灯させるだけでなく、点滅、輝度の変化等の発光に変化を持たせてもよいのは勿論である。
【００４２】
本実施形態のスキャナー装置７０は、読み取り対象物の一例である用紙Ｐに対して光を発する発光部７６と、用紙Ｐで反射した光を読み取る読み取り部７５と、を有し、所定の方向Ｙへ移動するキャリッジ７４と、キャリッジ７４を覆う外装部７１と、外装部７１における発光部７６の端部と対応する箇所においてキャリッジ７４の移動方向Ｙに延設された光放出部としてのスリット部７２と、キャリッジ７４に設けられ、発光部７６の光をスリット部７２へ導く導光部材７７と、を備えていることを特徴とする。
【００４３】
また、本実施形態において、発光部７６は、赤色、緑色および青色の光源を有しており、読み取り部７５が用紙Ｐの面に記録されたデータを読み取る動作中は、発光部７６は、赤色、緑色および青色の光源により白色を発光し、読み取り部７５が用紙Ｐの面に記録されたデータを読み取る動作以外の動作の際は、発光部７６は、赤色、緑色および青色の光源の光量を変化させ色相、彩度および明度の少なくとも一を変化させることを特徴とする。
【００４４】
［他の実施形態］
図６に示すのは、他の実施形態のスキャナー装置を示す斜視図である。  
図６に示す如く、他の実施形態のスキャナー装置７０は、スリット部８２にフィルター部材８３を有している。具体的には、フィルター部材８３は、スリット部８２に嵌め込まれている。  
ここで、「フィルター部材」とは、光の一部を吸収または透過することができる部材をいう。
【００４５】
そして、導光部材８７は、スリット部８２から外側へ突出しないように設けられている。即ち、導光部材８７は、外装部の内側より発光部７６からの光をフィルター部材８３の内側面に導くように構成されている。  
尚、その他の部材については、前述した実施形態と同様であるので、同じ符号を用いると共にその説明は省略する。
【００４６】
スキャニング動作を実行しているときであっても、フィルター部材８３によって、発光部７６の白色の光を、白色以外の色の光にすることができる。即ち、白色以外の色の光Ｌを、スリット部８２を介して外装部７１の外側へ放つことができる。その結果、より美しくみせることができ、ユーザーを目でより楽しませることができる。  
また、フィルター部材８３によって、外装部７１の外部から内部へ進入する光の量と低減することができる。従って、スキャニング動作を実行している最中であっても、読み取り部７５の読み取り精度に影響することが殆どない。
【００４７】
またさらに、フィルター部材８３を設けることにより、外部からは、スリット部８２に設けられたフィルター部材自体が光Ｌを発しているように見えるため、スキャナー装置７０を美しくみせることができる。このとき、フィルター部材８３において、光ＬがＹ軸方向へ移動するので、より美しくみせることができる。また、フィルター部材８３を設けた場合であっても、前述した実施形態と同様に、発光部７６が発光する光の色相、彩度、明度を変化させることができるのは、言うまでもない。
【００４８】
尚、フィルター部材８３を、拡散剤入りの樹脂部品や、エッチング処理した透明樹脂部品に置き換えてもよい。光Ｌの見え方を変えることができるので、より美しくみせることができる。  
ここで、「エッチング処理」とは、サンドブラスト処理（砂を吹付ける処理）等により表面の一部または全部を研磨することにより、つやを消したような見栄えにする処理をいう。立体感のある図柄や模様を付すことができ、視覚的に楽しむことができる。
【００４９】
他の実施形態において、光放出部としてのスリット部８２は、所定の波長の光を遮るフィルター部材８３を有することを特徴とする。
【００５０】
尚、本発明は上記実施例に限定されることなく、特許請求の範囲に記載した発明の範囲内で、種々の変形が可能であり、それらも本発明の範囲内に含まれるものであることは言うまでもない。
【符号の説明】
【００５１】
１  プリンター複合機、１０  プリンター本体部、１２  給送部、１３  記録部、
１４  排出部、２０  給送装置、２１  基体部、２２  案内フレーム部、
３０  用紙サポート部、３１  サポート揺動軸、３２  エッジガイド部、
３３  給送開口部、４０  カバー部、４１  カバー軸部、４２  一端側、
４３  切欠き部、４４  他端側、４５  突片、５０  排出トレイ部、
５２  排出トレイ自由端側、５３  排出開口部、６０  送りローラー、６１  押さえ部、
７０  スキャナー装置、７１  外装部、７２  スリット部（光放出部）、
７３  ガイド軸、７４  キャリッジ（ＣＩＳモジュール）、７５  読み取り部、
７６  発光部、７７  導光部材、７８  第１読み取り面、７９  第２読み取り面、
８０  ヒンジ部、８２  （他の実施形態の）スリット部、８３  フィルター部材、
８７  導光部材、Ｌ  光、Ｐ  用紙、Ｘ  （用紙の）幅方向、
Ｙ  キャリッジの移動方向、Ｚ  鉛直方向
【先行技術文献】
【特許文献】
【００５２】
【特許文献１】特開２００６-１９７３４４号公報
【図１】
2010251879.tif 000003
【図２】
2010251879.tif 000004
【図３】
2010251879.tif 000005
【図４】
2010251879.tif 000006
【図５】
2010251879.tif 000007
【図６】
2010251879.tif 000008